(57)【要約】【課題】端子を係止するリテーナを、装着されたシール部材に干渉させることなく円滑に挿抜させることが可能なハウジングを提供すること。【解決手段】メス端子２６が収容される端子収容室２４を有する嵌合部２３と、嵌合部２３の周囲を覆うフード部２１と、を備えたハウジング本体２２を有するメスハウジング２０であって、嵌合部２３の根元に装着されてオスハウジング７０との嵌合箇所をシールする環状のシール部材４６と、嵌合部２３に形成されて側方で開口するリテーナ収容穴５１に挿し込まれてメス端子２６を係止するリテーナ６０と、を備え、フード部２１には、リテーナ収容穴５１を臨む位置に、リテーナ収容穴５１へ挿し込まれるリテーナ６０を通す開口部５５が形成され、開口部５５の縁部には、リテーナ６０に摺接してリテーナ６０をリテーナ収容穴５１へガイドするガイド部６８が設けられている。【選択図】図７
2020198257.tif 000002
【特許請求の範囲】
【請求項１】
端子が収容される端子収容室を有し、相手側ハウジングに嵌合される嵌合部と、前記嵌合部の周囲を覆うフード部と、を備えたハウジング本体を有するハウジングであって、
前記嵌合部の根元に装着されて相手側ハウジングとの嵌合箇所をシールする環状のシール部材と、
前記嵌合部に形成されて側方で開口するリテーナ収容穴に挿し込まれ、前記端子収容室に収容される端子を係止するリテーナと、
を備え、
前記フード部には、前記リテーナ収容穴を臨む位置に、前記リテーナ収容穴へ挿し込まれる前記リテーナを通す開口部が形成され、
前記開口部の縁部には、前記リテーナに摺接して前記リテーナを前記リテーナ収容穴へガイドするガイド部が設けられている
ことを特徴とするハウジング。
【請求項２】
前記開口部は、前記嵌合部に装着された前記シール部材を視認可能な窓部を有する
ことを特徴とする請求項１に記載のハウジング。
【請求項３】
前記リテーナ収容穴の縁部には、前記リテーナを位置決めする位置決め突部が設けられている
ことを特徴とする請求項１または請求項２に記載のハウジング。
【発明の詳細な説明】
【技術分野】
【０００１】
本発明は、ハウジングに関する。
【背景技術】
【０００２】
端子収容室に端子が収容されるハウジングとして、側方から挿抜されるスペーサ（リテーナ）を備えたものがある（例えば、特許文献１参照）。このハウジングでは、端子収容室に収容された端子がスペーサで係止される。また、ハウジングには、環状のパッキン（シール部材）が装着されて相手側ハウジングとの嵌合箇所をシールする。
【先行技術文献】
【特許文献】
【０００３】
【特許文献１】特開２００２−２５３０５６号公報
【発明の概要】
【発明が解決しようとする課題】
【０００４】
ところで、スペーサが位置ずれした状態で挿し込まれると、スペーサがパッキンに干渉するおそれがある。特に、装着されたパッキンがスペーサの挿し込み位置側へ位置ずれしていると、挿し込んだスペーサにパッキンが噛み込まれて損傷してしまい、パッキンによる良好なシール性が確保されなくなるおそれがある。
【０００５】
本発明は、上述した事情に鑑みてなされたものであり、その目的は、端子を係止するリテーナを、装着されたシール部材に干渉させることなく円滑に挿抜させることが可能なハウジングを提供することにある。
【課題を解決するための手段】
【０００６】
前述した目的を達成するために、本発明に係るハウジングは、下記（１）〜（３）を特徴としている。
（１）  端子が収容される端子収容室を有し、相手側ハウジングに嵌合される嵌合部と、前記嵌合部の周囲を覆うフード部と、を備えたハウジング本体を有するハウジングであって、
前記嵌合部の根元に装着されて相手側ハウジングとの嵌合箇所をシールする環状のシール部材と、
前記嵌合部に形成されて側方で開口するリテーナ収容穴に挿し込まれ、前記端子収容室に収容される端子を係止するリテーナと、
を備え、
前記フード部には、前記リテーナ収容穴を臨む位置に、前記リテーナ収容穴へ挿し込まれる前記リテーナを通す開口部が形成され、
前記開口部の縁部には、前記リテーナに摺接して前記リテーナを前記リテーナ収容穴へガイドするガイド部が設けられている
ことを特徴とするハウジング。
（２）  前記開口部は、前記嵌合部に装着された前記シール部材を視認可能な窓部を有する
ことを特徴とする（１）に記載のハウジング。
（３）  前記リテーナ収容穴の縁部には、前記リテーナを位置決めする位置決め突部が設けられている
ことを特徴とする（１）または（２）に記載のハウジング。
【０００７】
上記（１）の構成のハウジングによれば、開口部を通して嵌合部のリテーナ収容穴へリテーナを挿し込む際に、リテーナが開口部の縁部に設けられたガイド部によってリテーナ収容穴へガイドされる。これにより、開口部を通したリテーナが位置ずれしてシール部材に干渉することによるシール部材の損傷を抑制でき、シール部材による良好なシール性を確保することができる。
上記（２）の構成のハウジングによれば、窓部において、嵌合部の根元へのシール部材の装着の有無及び装着されたシール部材の状態を目視によって確認することができる。
上記（３）の構成のハウジングによれば、開口部のガイド部によってガイドされてリテーナ収容穴へ挿し込まれるリテーナを、リテーナ収容穴の縁部の位置決め突部によって精度良く位置決めすることができる。これにより、リテーナによる端子の係止位置の精度を高め、端子収容室に収容させた端子のがたつきを抑えることができる。
【発明の効果】
【０００８】
本発明によれば、端子を係止するリテーナを、装着されたシール部材に干渉させることなく円滑に挿抜させることが可能なハウジングを提供できる。
【０００９】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１０】
【図１】図１は、本実施形態に係るメスハウジング及びオスハウジングの斜視図である。
【図２】図２は、メスハウジングの縦方向に沿う断面図である。
【図３】図３は、メスハウジングを示す図であって、図３（ａ）はメスハウジングの上部後方から視た斜視図、図３（ｂ）はメスハウジングの下部後方から視た斜視図である。
【図４】図４は、図２におけるＡ−Ａ断面図である。
【図５】図５は、リテーナを示す図であって、図５（ａ）は前面側から視た斜視図、図５（ｂ）は後面側から視た斜視図である。
【図６】図６は、リテーナ収容穴及び開口部を説明する図であって、図６（ａ）はリテーナ装着前におけるメスハウジングの裏面図、図６（ｂ）はリテーナ装着状態におけるメスハウジングの裏面図である。
【図７】図７は、リテーナ収容穴及び開口部を説明する図であって、図７（ａ）はリテーナ装着前における図２に対応する断面図、図７（ｂ）はリテーナ装着状態における図２に対応する断面図である。
【発明を実施するための形態】
【００１１】
以下、本発明に係る実施の形態の例を、図面を参照して説明する。
図１は、本実施形態に係るメスハウジング及び相手側ハウジングの斜視図である。
図１に示すように、本実施形態の係るメスハウジング（ハウジング）２０は、オスハウジング（相手側ハウジング）７０とともにコネクタ１０を構成する。
【００１２】
メスハウジング２０はフード部２１が形成されたハウジング本体２２を有している。オスハウジング７０は接続部７１を有しており、メスハウジング２０のハウジング本体２２のフード部２１とオスハウジング７０の接続部７１とを嵌合させることで互いに接合される。
【００１３】
オスハウジング７０は、合成樹脂から成形されている。このオスハウジング７０には、複数のオス端子（図示略）が設けられており、これらのオス端子は、接続部７１内に配置されている。
【００１４】
オスハウジング７０は、接続部７１の上部に、一対のガイド突条７２と、突起部７３とを有している。ガイド突条７２は、メスハウジング２０との嵌合方向（以下、単に嵌合方向と呼ぶ）に沿って間隔をあけて形成されている。突起部７３は、一対のガイド突条７２の間である接続部７１の上部における幅方向中央位置に形成されている。突起部７３は、接続部７１の上面から突設されており、嵌合方向の前方側には、オスハウジング７０の後端側へ向かって次第に上方へ傾斜したガイド面７４が形成されている。
【００１５】
図２は、メスハウジングの縦方向に沿う断面図である。
図２に示すように、メスハウジング２０のハウジング本体２２に形成されたフード部２１は、筒状に形成されている。メスハウジング２０は、合成樹脂から成形されたもので、ハウジング本体２２は、フード部２１の内部に嵌合部２３を有している。この嵌合部２３は、複数の端子収容室２４を有しており、オスハウジング７０との嵌合方向（以下、単に嵌合方向と呼ぶ）へ向かって突設されている。
【００１６】
この嵌合部２３の根元には、先端側からオスハウジング７０との嵌合箇所をシールする環状のシール部材４６が装着されている。このシール部材４６は、例えば、ゴム等の弾性材料から形成されたもので、メスハウジング２０のフード部２１に嵌合されたオスハウジング７０の接続部７１に密着する。これにより、オスハウジング７０とメスハウジング２０との嵌合箇所がシール部材４６によってシールされる。
【００１７】
嵌合部２３の端子収容室２４には、電線２５の端部に接続されたメス端子２６がそれぞれ収容されており、電線２５は、ハウジング本体２２の後端から引き出される。端子収容室２４には、電線２５に装着されたゴム栓２７がハウジング本体２２の後端側から嵌め込まれる。これにより、メス端子２６が収容されたハウジング本体２２の端子収容室２４が止水される。
【００１８】
メス端子２６は、例えば、銅または銅合金等の導電性金属材料から形成されたもので、電線２５に圧着されて接続されている。このメス端子２６は、先端側に、オス端子が挿抜される角筒状の電気接続部２８を有している。また、この電気接続部２８には、側方へ突出する突出片２８ａが形成されている。
【００１９】
嵌合部２３には、各端子収容室２４内に突出するランス２９が形成されており、これらのランス２９は、端子収容室２４に挿し込まれて収容されたメス端子２６の電気接続部２８に形成された突出片２８ａを係止する。これにより、メス端子２６は、端子収容室２４から抜け止めされる。
【００２０】
図３は、メスハウジングを示す図であって、図３（ａ）はメスハウジングの上部後方から視た斜視図、図３（ｂ）はメスハウジングの下部後方から視た斜視図である。図４は、図２におけるＡ−Ａ断面図である。
【００２１】
図３（ａ）及び図３（ｂ）に示すように、メスハウジング２０には、ハウジング本体２２の上部に、ロック機構３０が設けられている。ロック機構３０は、ロックアーム３１と、解除アーム３８とを有している。
【００２２】
ロックアーム３１は、一対の弾性アーム部３２と、係止部３６とを有している。弾性アーム部３２は、ハウジング本体２２に連設されて嵌合方向の前方側へ延在された片持ち支持梁状に形成されている。弾性アーム部３２は、互いに間隔をあけて並列に配置されている。これらの弾性アーム部３２は、嵌合方向の前方側が互いに連結されている。ロックアーム３１は、弾性アーム部３２の互いに連結された連結部分が係止部３６とされており、この係止部３６は、オスハウジング７０に形成された突起部７３に対して係脱される。
【００２３】
解除アーム３８は、一対の支持アーム部３３と、操作部３４とを有している。支持アーム部３３は、一対の弾性アーム部３２の外側にそれぞれ設けられている。支持アーム部３３は、嵌合方向の前方側の端部が弾性アーム部３２に連設されて嵌合方向の後方側へ延在されている。支持アーム部３３は、弾性アーム部３２との連設側と反対側の後端部が互いに連結されており、この連結部分が操作部３４とされている。
【００２４】
ロック機構３０の両側部には、一対の保護壁４１が設けられている。これらの保護壁４１は、ハウジング本体２２の上部に立設されており、ロック機構３０は、保護壁４１によって側方が囲われて保護されている。保護壁４１の嵌合方向の前方側には、梁部４２が設けられている。この梁部４２は、両端が保護壁４１に連設されており、ハウジング本体２２に対して隙間をあけて配置されている。
【００２５】
図２及び図４に示すように、メスハウジング２０の嵌合部２３には、ハウジング本体２２の側方である下方側で開口されたリテーナ収容穴５１が形成されている。このリテーナ収容穴５１は、嵌合部２３におけるランス２９よりも後端側であり、かつシール部材４６が装着された根元よりも先端側に形成されている。このリテーナ収容穴５１には、ハウジング本体２２の後方側の縁部が幅方向に沿って突出されており、この突出部分が、位置決め突部５２とされている。また、メスハウジング２０のフード部２１には、ハウジング本体２２の下方側に、開口部５５が形成されている。この開口部５５は、リテーナ収容穴５１を臨む位置に形成されている。
【００２６】
また、嵌合部２３には、その両側部に、仮係止突起５３及び本係止突起５４が形成されている。仮係止突起５３は、本係止突起５４よりもハウジング本体２２の上方側に配置されている。
【００２７】
リテーナ収容穴５１には、合成樹脂から成形されたリテーナ６０が挿抜されて着脱される。リテーナ６０は、フード部２１の開口部５５を通して嵌合部２３のリテーナ収容穴５１に挿抜される。
【００２８】
図５は、リテーナを示す図であって、図５（ａ）は前面側から視た斜視図、図５（ｂ）は後面側から視た斜視図である。
図５（ａ）及び図５（ｂ）に示すように、リテーナ６０は、厚みを有する板状に形成されたリテーナ本体６１と、リテーナ本体６１の両側部に形成された係止片６２とを有している。リテーナ本体６１には、前面６１ａと後面６１ｂとに貫通した複数の孔部６３が形成されている。これらの孔部６３は、嵌合部２３の下段の端子収容室２４と連通可能とされている。リテーナ６０のリテーナ本体６１は、前面６１ａにおける上縁部及び各孔部６３の下縁部が、端子係止部６５とされている。
【００２９】
リテーナ本体６１の両側部に形成された係止片６２は、リテーナ本体６１の下端から上方へ向かって延在されている。これらの係止片６２には、内側へ突出する仮係止爪６６及び本係止爪６７が形成されている。仮係止爪６６は、本係止爪６７よりも係止片６２の先端側に形成されている。
【００３０】
図６は、リテーナ収容穴及び開口部を説明する図であって、図６（ａ）はリテーナ装着前におけるメスハウジングの裏面図、図６（ｂ）はリテーナ装着状態におけるメスハウジングの裏面図である。図７は、リテーナ収容穴及び開口部を説明する図であって、図７（ａ）はリテーナ装着前における図２に対応する断面図、図７（ｂ）はリテーナ装着状態における図２に対応する断面図である。
【００３１】
図６（ａ）及び図７（ａ）に示すように、嵌合部２３に形成されたリテーナ収容穴５１は、リテーナ本体６１の外形よりも僅かに大きな内形を有している。これにより、このリテーナ収容穴５１には、リテーナ６０のリテーナ本体６１が嵌合される。これに対して、フード部２１に形成された開口部５５は、係止片６２を含むリテーナ６０の下方から視た外形よりも大きな内形を有している。これにより、開口部５５では、係止片６２を含むリテーナ６０の全体が挿通可能とされている。
【００３２】
開口部５５は、嵌合部２３の根元に装着されるシール部材４６の装着範囲に僅かにかかる大きさに形成されている。また、開口部５５には、ハウジング本体２２の後端側の縁部における両端を除いた部分に、ガイド部６８が形成されている。このガイド部６８は、ハウジング本体２２の幅方向に沿って形成されている。このガイド部６８は、裏面視において、縁部の位置がリテーナ収容穴５１の位置決め突部５２の縁部と略同一位置とされている。また、開口部５５におけるガイド部６８の両側は、嵌合部２３に装着されたシール部材４６を目視可能な窓部６９とされている。つまり、開口部５５におけるガイド部６８の両側の窓部６９において、嵌合部２３の根元へのシール部材４６の装着の有無及び装着されたシール部材４６の状態を目視によって確認することが可能とされている。
【００３３】
図６（ｂ）及び図７（ｂ）に示すように、リテーナ６０は、開口部５５を通してリテーナ収容穴５１へ挿し込まれる際に、リテーナ本体６１の後面６１ｂがガイド部６８に摺接される。これにより、リテーナ６０は、リテーナ収容穴５１へ位置ずれすることなく正確に案内される。したがって、リテーナ６０が嵌合部２３に装着されたシール部材４６側へ位置ずれした状態で挿し込まれるのが抑制される。また、開口部５５のガイド部６８によってガイドされてリテーナ収容穴５１へ挿し込まれるリテーナ６０は、リテーナ収容穴５１の縁部の位置決め突部５２によって位置決めされる。
【００３４】
次に、リテーナ６０を備えたメスハウジング２０の嵌合部２３の端子収容室２４に、電線２５の端部に接続されたメス端子２６を収容させる場合について説明する。
【００３５】
メス端子２６を端子収容室２４へ収容させるには、まず、リテーナ６０をリテーナ収容穴５１へ挿し込む。そして、このリテーナ６０の係止片６２の仮係止爪６６を、嵌合部２３の仮係止突起５３に係止させて仮係止状態とする（図２及び図４参照）。
【００３６】
次に、仮係止状態において、端子収容室２４に対して後方からメス端子２６を挿し込み、メス端子２６の突出片２８ａにランス２９を係止させる。そして、端子収容室２４にメス端子２６を挿し込んだら、リテーナ６０を押し込み、係止片６２の本係止爪６７を嵌合部２３の本係止突起５４に係止させて本係止状態とする。すると、端子収容室２４に収容されているメス端子２６の電気接続部２８の後端にリテーナ６０の端子係止部６５が入り込む。これにより、メス端子２６は、ランス２９とリテーナ６０とによって二重係止される。なお、リテーナ６０を押し込む際に、端子収容室２４へのメス端子２６の挿し込みが不完全であると、リテーナ６０が電気接続部２８に干渉して押し込むことができない。このことから、作業者は、端子収容室２４へのメス端子２６の挿し込みが不十分であることを認識することができる。
【００３７】
次に、オスハウジング７０にメスハウジング２０を嵌合させる場合について説明する。
【００３８】
オスハウジング７０の接続部７１に、メスハウジング２０のフード部２１を近接させて嵌合部２３を嵌め込む。すると、オスハウジング７０のガイド突条７２によってロック機構３０が案内され、メスハウジング２０のロックアーム３１の係止部３６がオスハウジング７０の突起部７３のガイド面７４に接触する。
【００３９】
オスハウジング７０に対してメスハウジング２０を押し込むと、突起部７３のガイド面７４に接触していたロックアーム３１の係止部３６がガイド面７４に沿って摺動して乗り上げ始め、ロックアーム３１の弾性アーム部３２が弾性変形される。これにより、解除アーム３８の支持アーム部３３は、弾性アーム部３２と連結された前端側がハウジング本体２２から離間する方向へ変位されることで揺動する。
【００４０】
オスハウジング７０に対してメスハウジング２０をさらに押し込むことで、係止部３６が突起部７３を乗り越えると、弾性変形していた弾性アーム部３２が復元して支持アーム部３３が逆方向へ揺動し、係止部３６が突起部７３の嵌合方向の前方側に入り込んで係止する。これにより、オスハウジング７０に対してメスハウジング２０が嵌合された状態でロックされる。この嵌合状態において、メスハウジング２０の嵌合部２３に装着されたシール部材４６にオスハウジング７０の接続部７１が密着し、オスハウジング７０とメスハウジング２０との嵌合箇所がシールされる。そして、この嵌合状態では、メス端子２６の電気接続部２８にオス端子が挿入され、メス端子２６とオス端子とが電気的に接続される。
【００４１】
次に、オスハウジング７０からメスハウジング２０を離脱させる場合について説明する。
【００４２】
オスハウジング７０からメスハウジング２０を離脱させるには、解除アーム３８の支持アーム部３３の後端に設けられた操作部３４をハウジング本体２２側へ押圧する。すると、支持アーム部３３が揺動され、ロックアーム３１の係止部３６がハウジング本体２２から離間する方向へ変位し、突起部７３に対する係止部３６の係止が解除され、オスハウジング７０に対するメスハウジング２０のロックが解除される。
【００４３】
この状態において、オスハウジング７０に対してメスハウジング２０を引き離す方向へ移動させる。これにより、メスハウジング２０がオスハウジング７０から離脱され、メス端子２６とオス端子との電気的な接続状態が解除される。
【００４４】
以上、説明したように、本実施形態に係るメスハウジング２０によれば、フード部２１におけるリテーナ収容穴５１を臨む位置に、リテーナ収容穴５１へ挿し込まれるリテーナ６０を通す開口部５５が形成され、開口部５５の縁部に、リテーナ６０に摺接してリテーナ６０をリテーナ収容穴５１へガイドするガイド部６８が設けられている。これにより、開口部５５を通して嵌合部２３のリテーナ収容穴５１へリテーナ６０を挿し込む際に、リテーナ６０が開口部５５の縁部に設けられたガイド部６８によってリテーナ収容穴５１へガイドされる。これにより、開口部５５を通したリテーナ６０が位置ずれしてシール部材４６に干渉することによるシール部材４６の損傷を抑制でき、シール部材４６による良好なシール性を確保することができる。
【００４５】
また、リテーナ６０が通される開口部５５は、嵌合部２３に装着されたシール部材４６を視認可能な窓部６９を有している。したがって、窓部６９において、嵌合部２３の根元へのシール部材４６の装着の有無及び装着されたシール部材４６の状態を目視によって確認することができる。
【００４６】
しかも、リテーナ収容穴５１の縁部には、リテーナ６０を位置決めする位置決め突部５２が設けられている。したがって、開口部５５のガイド部６８によってガイドされてリテーナ収容穴５１へ挿し込まれるリテーナ６０を、リテーナ収容穴５１の縁部の位置決め突部５２によって精度良く位置決めすることができる。これにより、リテーナ６０によるメス端子２６の係止位置の精度を高め、端子収容室２４に収容させたメス端子２６のがたつきを抑えることができる。
【００４７】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４８】
ここで、上述した本発明に係るハウジングの実施形態の特徴をそれぞれ以下［１］〜［３］に簡潔に纏めて列記する。
［１］  端子（メス端子２６）が収容される端子収容室（２４）を有し、相手側ハウジング（オスハウジング７０）に嵌合される嵌合部（２３）と、前記嵌合部（２３）の周囲を覆うフード部（２１）と、を備えたハウジング本体２２を有するハウジング（メスハウジング２０）であって、
前記嵌合部（２３）の根元に装着されて相手側ハウジング（オスハウジング７０）との嵌合箇所をシールする環状のシール部材（４６）と、
前記嵌合部（２３）に形成されて側方で開口するリテーナ収容穴（５１）に挿し込まれ、前記端子収容室（２４）に収容される端子（メス端子２６）を係止するリテーナ（６０）と、
を備え、
前記フード部（２１）には、前記リテーナ収容穴（５１）を臨む位置に、前記リテーナ収容穴（５１）へ挿し込まれる前記リテーナ（６０）を通す開口部（５５）が形成され、
前記開口部（５５）の縁部には、前記リテーナ（６０）に摺接して前記リテーナ（６０）を前記リテーナ収容穴（５１）へガイドするガイド部（６８）が設けられている
ことを特徴とするハウジング。
［２］  前記開口部（５５）は、前記嵌合部（２３）に装着された前記シール部材（４６）を視認可能な窓部（６９）を有する
ことを特徴とする［１］に記載のハウジング。
［３］  前記リテーナ収容穴（５１）の縁部には、前記リテーナ（６０）を位置決めする位置決め突部（５２）が設けられている
ことを特徴とする［１］または［２］に記載のハウジング。
【符号の説明】
【００４９】
２０：メスハウジング（ハウジング）
２１：フード部
２２：ハウジング本体
２３：嵌合部
２４：端子収容室
２６：メス端子（端子）
４６：シール部材
５１：リテーナ収容穴
５２：位置決め突部
５５：開口部
６０：リテーナ
６８：ガイド部
６９：窓部
７０：オスハウジング（相手側ハウジング）
【図１】
2020198257.tif 000003
【図２】
2020198257.tif 000004
【図３】
2020198257.tif 000005
【図４】
2020198257.tif 000006
【図５】
2020198257.tif 000007
【図６】
2020198257.tif 000008
【図７】
2020198257.tif 000009